(57)【要約】      （修正有）【課題】スライド方向の違いにより要する力の差異をなくし、ツマミ部材を中間の停止位置で適切に拘束することができるスライドスイッチの提供。【解決手段】ツマミ部材１２は、操作入力部分１５と、移動規制段部分１６と、移動規制壁１７とを有する。操作入力部分１５は、スライド方向Ｓで見た略中央位置で、移動規制段部分１６により盛り上げられた個所からさらに突起された突条であり、使用者が容易に摘むことが可能とされている。移動規制壁１７は、スライド方向Ｓで見て操作入力部分１５を中心として対称となる位置で対を為すように操作入力部分１５の突起方向とは反対側に延出されている。ツマミ部材１２は、操作入力部分１５が車室に臨むようにハウジング本体１３に保持されている。操作入力部分１５を押し出すまたは引張るように操作することにより、ツマミ部材１２をスライド移動させることが可能である。【選択図】図３
2008140655.tif 000002
【特許請求の範囲】
【請求項１】
切り換え操作のためのツマミ部材が３個所の停止位置の間をスライド移動可能に固定部材に保持され、前記ツマミ部材を前記各停止位置に停止させることにより互いに異なる電気的な接続が可能とされたスライドスイッチであって、
前記固定部材に押し当たるように前記ツマミ部材に片持ち支持され該ツマミ部材のスライド移動方向に沿って延在するバネ板部材と、該バネ板部材のバネ板自由端部の嵌合が可能であり前記ツマミ部材のスライド移動方向に沿って前記バネ板部材の自由端側の第１凸部分から凹部分を経て第２凸部分に至る傾斜を固定部材に形成する受入部とを備え、
前記バネ板部材の前記バネ板自由端部は、前記受入部の前記凹部分を構成する面と該凹部分から前記第１凸部分へ至る第１傾斜面と前記凹部分から前記第２凸部分へ至る第２傾斜面とに当接可能に突起する湾曲形状とされ、前記第１傾斜面は、前記ツマミ部材のスライド移動方向に対する傾斜角度が前記第２傾斜面の傾斜角度よりも小さく設定されていることを特徴とするスライドスイッチ。
【請求項２】
切り換え操作のためのツマミ部材が３個所の停止位置の間をスライド移動可能に固定部材に保持され、前記ツマミ部材を前記各停止位置に停止させることにより互いに異なる電気的な接続が可能とされたスライドスイッチであって、
前記固定部材に押し当たるように前記ツマミ部材に片持ち支持され該ツマミ部材のスライド移動方向に沿って延在するバネ板部材と、該バネ板部材のバネ板自由端部の嵌合が可能であり前記ツマミ部材のスライド移動方向に沿って前記バネ板部材の自由端側の第１凸部分から凹部分を経て第２凸部分に至る傾斜を固定部材に形成する受入部とを備え、
前記バネ板部材の前記バネ板自由端部は、前記受入部の前記凹部分を構成する面と該凹部分から前記第１凸部分へ至る第１傾斜面と前記凹部分から前記第２凸部分へ至る第２傾斜面とに当接可能に突起する湾曲形状とされ、前記第１凸部分は、前記ツマミ部材のスライド移動方向に直交する方向で見た前記凹部分からの高さ寸法が前記第２凸部分の高さ寸法よりも小さく設定されていることを特徴とするスライドスイッチ。
【請求項３】
切り換え操作のためのツマミ部材が３個所の停止位置の間をスライド移動可能に固定部材に保持され、前記ツマミ部材を前記各停止位置に停止させることにより互いに異なる電気的な接続が可能とされたスライドスイッチであって、
前記固定部材に押し当たるように前記ツマミ部材に片持ち支持され該ツマミ部材のスライド移動方向に沿って延在するバネ板部材と、該バネ板部材のバネ板自由端部の嵌合が可能であり前記ツマミ部材のスライド移動方向に沿って前記バネ板部材の自由端側の第１凸部分から凹部分を経て第２凸部分に至る傾斜を固定部材に形成する受入部とを備え、
前記バネ板部材の前記バネ板自由端部は、前記受入部の前記凹部分を構成する面と該凹部分から前記第１凸部分へ至る第１傾斜面と前記凹部分から前記第２凸部分へ至る第２傾斜面とに当接可能に突起する湾曲形状とされ、前記第１傾斜面は、前記ツマミ部材のスライド移動方向に対する傾斜角度が前記第２傾斜面の傾斜角度よりも小さく設定され、前記第１凸部分は、前記ツマミ部材のスライド移動方向に直交する方向で見た前記凹部分からの高さ寸法が前記第２凸部分の高さ寸法よりも小さく設定されていることを特徴とするスライドスイッチ。
【発明の詳細な説明】
【技術分野】
【０００１】
本発明は、３段階での電気的な切り換えが可能なスライドスイッチに関する。
【背景技術】
【０００２】
従来、移動が制限される３個所の停止位置の間をスライド移動可能とされたツマミ部材を有し、このツマミ部材を各停止位置に停止させることにより互いに電気的に異なる接点への接続が可能とされたスライドスイッチが知られている。このスライドスイッチでは、ツマミ部材が固定部材によりスライド移動可能に保持され、スライド移動可能とされたツマミ部材を３個所で停止させるために、ツマミ部材にバネ板部材が設けられかつ固定部材に受入部が設けられている。
【０００３】
バネ板部材は、受入部へ向けて延出するようにツマミ部材に片持ち支持されており、そのバネ板自由端部が固定部材における受入部の近傍に押し当てられるように設定されている。受入部は、固定部材から突出する２つの凸部分とその間の凹部分とを有し、これら両凸部分と凹部分とがツマミ部材のスライド移動方向に沿って隣接されている。バネ板部材のバネ板自由端部は、受入部に嵌合可能な突起形状とされており、このバネ板自由端部が受入部に嵌合されることにより固定部材に対するツマミ部材のスライド移動が制限される。このバネ板部材のバネ板自由端部と受入部との協働により、ツマミ部材は、バネ板部材のバネ板自由端部が受入部の一方の外部で固定部材に押し当てられる位置と、バネ板自由端部が受入部に嵌合される位置と、バネ板自由端部が受入部の他方の外部で固定部材に押し当てられる位置との３個所で停止されるとともに、バネ板自由端部が受入部の両凸部分を乗り越えるようにツマミ部材を移動させることにより３個所の停止位置間をスライド移動させることができる。このスライドスイッチでは、受入部とは異なる位置で固定部材に当接すべくツマミ部材から延出され導電性を有する材料からなる接続板部材がツマミ部材に片持ち支持されており、かつツマミ部材が３個所の停止位置とされている際に接続板部材の接続自由端部が当接する固定部材の面に、それぞれ電気的に異なる３つの接点が設けられており、ツマミ部材の存在位置（３個所の停止位置。）に応じて電気的な切り換えが可能とされている。
【０００４】
ところで、上記したスライドスイッチでは、受入部に嵌合される突起形状のバネ板自由端部が、ツマミ部材に片持ち支持されたバネ板部材の先端（自由端。）であることから、受入部にバネ板自由端部が嵌合された状態からツマミ部材をスライド移動させるべく受入部のいずれか一方の凸部分を乗り越えさせようとツマミ部材に操作力を付与する際、自由端側に位置する凸部分を乗り越える場合の方が、ツマミ部材に支持された基端側の凸部分を乗り越える場合よりも要する力が大きくなってしまう。このことは使用者に違和感を覚えさせることから、操作方向の違いに拘わらず要する力を等しくすることができるスライドスイッチが考えられている（例えば、特許文献１参照）。
【０００５】
このスライドスイッチでは、バネ板部材のバネ板自由端部と受入部の凹部分とが２つの傾斜壁で尖端を形成する構成とされており、ツマミ部材のスライド方向を基準とするバネ板自由端部の２つの傾斜壁の傾斜角度が、ツマミ部材に支持された基端側の傾斜壁よりも自由端側の傾斜壁の方が大きくされている。これにより、バネ板自由端部が、受入部において自由端側に位置する凸部分を乗り越える際に要する力と、受入部において自由端側に位置する凸部分を乗り越える際に要する力とを略等しくすることができ、使用者が違和感を覚えることを防止することができる。
【特許文献１】特開平７−３３５０７４号公報
【発明の開示】
【発明が解決しようとする課題】
【０００６】
ところで、上記したスライドスイッチでは、バネ板部材のバネ板自由端部が受入部に嵌合されることにより、ツマミ部材が３個所の停止位置のうちの中間位置で拘束される構成とされている。このため、上記したスライドスイッチでは、バネ板自由端部の２つの傾斜壁が互いに異なる傾斜角度とされていることから、受入部の凹部分もバネ板自由端部に合致するように傾斜角度に差異を持たせる構成としなければ、バネ板自由端部の受入部への嵌合状態におけるバネ板自由端部と受入部との接触面積が僅かなものとなってしまう。すると、中間位置にあるツマミ部材のスライド方向で見た拘束力すなわち中間位置にあるツマミ部材の安定性の低下を招く虞がある。これを防止するために受入部の凹部分の形状をバネ板自由端部に合致させると、例えば仕様変更のためにバネ板部材の設計が変更されると、固定部材側の設計を変更する必要が生じることから、製造コストの増加を招いてしまう。
【０００７】
本発明は、上記の問題に鑑みて為されたもので、製造コストの増加を招くことなく、スライド方向の違いにより要する力の差異をなくし、かつツマミ部材を中間の停止位置で適切に拘束することができるスライドスイッチを提供することを課題とする。
【課題を解決するための手段】
【０００８】
上記課題を解決するため、請求項１に記載のスライドスイッチは、切り換え操作のためのツマミ部材が３個所の停止位置の間をスライド移動可能に固定部材に保持され、前記ツマミ部材を前記各停止位置に停止させることにより互いに異なる電気的な接続が可能とされたスライドスイッチであって、前記固定部材に押し当たるように前記ツマミ部材に片持ち支持され該ツマミ部材のスライド移動方向に沿って延在するバネ板部材と、該バネ板部材のバネ板自由端部の嵌合が可能であり前記ツマミ部材のスライド移動方向に沿って前記バネ板部材の自由端側の第１凸部分から凹部分を経て第２凸部分に至る傾斜を固定部材に形成する受入部とを備え、前記バネ板部材の前記バネ板自由端部は、前記受入部の前記凹部分を構成する面と該凹部分から前記第１凸部分へ至る第１傾斜面と前記凹部分から前記第２凸部分へ至る第２傾斜面とに当接可能に突起する湾曲形状とされ、前記第１傾斜面は、前記ツマミ部材のスライド移動方向に対する傾斜角度が前記第２傾斜面の傾斜角度よりも小さく設定されていることを特徴とするスライドスイッチ。
【０００９】
上記した構成によれば、バネ板部材のバネ板自由端部がツマミ部材のスライド移動に伴って当該スライド方向に移動されることとなるが、受入部においてバネ板自由端部の移動方向を基準とする第１傾斜面の傾斜角度が第２傾斜面の傾斜角度よりも小さな傾斜角度とされていることから、受入部の凹部分から２つの凸部分のいずれか一方を乗り越えようとする際、第１凸部を乗り越える場合に要する力と第２凸部を乗り越える場合に要する力とを等しくすることができる。
【００１０】
また、受入部は、バネ板部材のバネ板自由端部が嵌合されている際、バネ板自由端部が凹部分を構成する面と第１傾斜面と第２傾斜面とに当接される構成である、すなわち受入部により３方から支持される構成であることから、中間位置にあるツマミ部材を適切に拘束することができる。
【００１１】
さらに、湾曲形状とされたバネ板部材のバネ板自由端部を３方から支持することにより嵌合状態において受入部がバネ板自由端部を適切に拘束する構成であることから、バネ板部材のバネ板自由端部の形状を変更しなくても、受入部の第１傾斜面および第２傾斜面として設定された傾斜角度に拘わらず嵌合時においてバネ板自由端部を受入部の凹部分を構成する面と第１傾斜面と第２傾斜面とに当接させることができる。このように、バネ板部材の設計変更を伴うことなく仕様変更することが可能となることから、製造コストの増加を招くことを防止することができる。
【００１２】
請求項２に記載のスライドスイッチは、切り換え操作のためのツマミ部材が３個所の停止位置の間をスライド移動可能に固定部材に保持され、前記ツマミ部材を前記各停止位置に停止させることにより互いに異なる電気的な接続が可能とされたスライドスイッチであって、前記固定部材に押し当たるように前記ツマミ部材に片持ち支持され該ツマミ部材のスライド移動方向に沿って延在するバネ板部材と、該バネ板部材のバネ板自由端部の嵌合が可能であり前記ツマミ部材のスライド移動方向に沿って前記バネ板部材の自由端側の第１凸部分から凹部分を経て第２凸部分に至る傾斜を固定部材に形成する受入部とを備え、前記バネ板部材の前記バネ板自由端部は、前記受入部の前記凹部分を構成する面と該凹部分から前記第１凸部分へ至る第１傾斜面と前記凹部分から前記第２凸部分へ至る第２傾斜面とに当接可能に突起する湾曲形状とされ、前記第１凸部分は、前記ツマミ部材のスライド移動方向に直交する方向で見た前記凹部分からの高さ寸法が前記第２凸部分の高さ寸法よりも小さく設定されていることを特徴とする。
【００１３】
上記した構成によれば、バネ板部材のバネ板自由端部がツマミ部材のスライド移動に伴って当該スライド方向に移動されることとなるが、受入部においてバネ板自由端部の移動方向に直交する方向を基準とする第１凸部分の高さ寸法が第２凸部分の高さ寸法よりも小さくされていることから、受入部の凹部分から２つの凸部分のいずれか一方を乗り越えようとする際、第１凸部を乗り越える場合に要する力と第２凸部を乗り越える場合に要する力とを等しくすることができる。
【００１４】
また、受入部は、バネ板部材のバネ板自由端部が嵌合されている際、バネ板自由端部が凹部分を構成する面と第１傾斜面と第２傾斜面とに当接される構成である、すなわち受入部により３方から支持される構成であることから、中間位置にあるツマミ部材を適切に拘束することができる。
【００１５】
さらに、湾曲形状とされたバネ板部材のバネ板自由端部を３方から支持することにより嵌合状態において受入部がバネ板自由端部を適切に拘束する構成であることから、バネ板部材のバネ板自由端部の形状を変更しなくても、受入部の第１凸部分および第２凸部分として設定された高さ寸法に拘わらず嵌合時においてバネ板自由端部を受入部の凹部分を構成する面と第１傾斜面と第２傾斜面とに当接させることができる。このように、バネ板部材の設計変更を伴うことなく仕様変更することが可能となることから、製造コストの増加を招くことを防止することができる。
【００１６】
請求項３に記載のスライドスイッチは、切り換え操作のためのツマミ部材が３個所の停止位置の間をスライド移動可能に固定部材に保持され、前記ツマミ部材を前記各停止位置に停止させることにより互いに異なる電気的な接続が可能とされたスライドスイッチであって、前記固定部材に押し当たるように前記ツマミ部材に片持ち支持され該ツマミ部材のスライド移動方向に沿って延在するバネ板部材と、該バネ板部材のバネ板自由端部の嵌合が可能であり前記ツマミ部材のスライド移動方向に沿って前記バネ板部材の自由端側の第１凸部分から凹部分を経て第２凸部分に至る傾斜を固定部材に形成する受入部とを備え、前記バネ板部材の前記バネ板自由端部は、前記受入部の前記凹部分を構成する面と該凹部分から前記第１凸部分へ至る第１傾斜面と前記凹部分から前記第２凸部分へ至る第２傾斜面とに当接可能に突起する湾曲形状とされ、前記第１傾斜面は、前記ツマミ部材のスライド移動方向に対する傾斜角度が前記第２傾斜面の傾斜角度よりも小さく設定され、前記第１凸部分は、前記ツマミ部材のスライド移動方向に直交する方向で見た前記凹部分からの高さ寸法が前記第２凸部分の高さ寸法よりも小さく設定されていることを特徴とする。
【００１７】
上記した構成によれば、受入部においてバネ板自由端部の移動方向を基準とする第１傾斜面の傾斜角度が第２傾斜面の傾斜角度よりも小さな傾斜角度とされ、かつ受入部においてバネ板自由端部の移動方向に直交する方向を基準とする第１凸部分の高さ寸法が第２凸部分の高さ寸法よりも小さくされていることから、受入部の凹部分から２つの凸部分のいずれか一方を乗り越えようとする際、第１凸部を乗り越える場合に要する力と第２凸部を乗り越える場合に要する力とをより効果的に等しくすることができる。
【００１８】
また、受入部は、バネ板部材のバネ板自由端部が嵌合されている際、バネ板自由端部が凹部分を構成する面と第１傾斜面と第２傾斜面とに当接される構成である、すなわち受入部により３方から支持される構成であることから、中間位置にあるツマミ部材を適切に拘束することができる。
【００１９】
さらに、湾曲形状とされたバネ板部材のバネ板自由端部を３方から支持することにより嵌合状態において受入部がバネ板自由端部を適切に拘束する構成であることから、バネ板部材のバネ板自由端部の形状を変更しなくても、受入部の第１傾斜面および第２傾斜面として設定された傾斜角度および受入部の第１凸部分および第２凸部分として設定された高さ寸法に拘わらず嵌合時においてバネ板自由端部を受入部の凹部分を構成する面と第１傾斜面と第２傾斜面とに当接させることができる。このように、バネ板部材の設計変更を伴うことなく仕様変更することが可能となることから、製造コストの増加を招くことを防止することができる。
【発明の効果】
【００２０】
本発明のスライドスイッチでは、製造コストの増加を招くことなく、スライド方向の違いにより要する力の差異をなくし、かつツマミ部材を中間の停止位置で適切に拘束することができる。
【発明を実施するための最良の形態】
【００２１】
以下に、本発明に係るスライドスイッチの実施の形態を図面を参照しつつ説明する。
【実施例】
【００２２】
図１は、本発明に係るスライドスイッチ１０を備えるルームランプＲＬが適用された車両Ｃを示す模式的な斜視図であり、図２は、ルームランプＲＬを拡大した模式的な正面図であり、図３は、図２に示すＩ−Ｉ線に沿って得られた模式的な断面図でありスライドスイッチ１０を示している。
【００２３】
スライドスイッチ１０は、図１に示すように、車両の天井Ｃに設けられたルームランプＲＬに適用されている。ルームランプＲＬは、車室を照明するために採用されており、常時点灯させるＯＮモードと、常時消灯させるＯＦＦモードと、ドアの開閉に応じて点灯制御されるＤＯＯＲモードとが選択可能とされている（図２参照。）。この各モードの選択のために、ルームランプＲＬにスライドスイッチ１０が適用されている。スライドスイッチ１０は、図２に示すように、ハウジング１１内にツマミ部材１２がスライド移動可能に収容されて構成されている（スライド方向Ｓ参照。）。ツマミ部材１２は、そのスライド移動可能な範囲（２点鎖線で示すツマミ部材１２´とツマミ部材１２´´との間。）の両端位置（１２´、１２´´。）と、それらの中間位置（実線で示すツマミ部材１２参照。）との３個所の停止位置で自由なスライド移動が制限されるように拘束される構成とされている。スライドスイッチ１０では、ツマミ部材１２のスライド移動可能な範囲において、左端位置（ツマミ部材１２´´参照。）がＯＦＦモードに対応し、右端位置（ツマミ部材１２´参照。）がＯＮモードに対応し、中間位置（ツマミ部材１２参照。）がＤＯＯＲモードに対応するように電気的な接続の切り替えが可能とされている。なお、以下の説明では、中間位置にあるツマミ部材１２から見て、左端位置へ向かう方向を押出し方向Ｓｐとし、右端位置へ向かう方向を引張り方向Ｓｄとする。
【００２４】
ハウジング１１は、図３に示すように、ハウジング本体１３と蓋部材１４とを有する。ハウジング本体１３は、全体に一端開放の箱形状を呈し、開放端１３ａが車室に臨む（下方に位置する。）ように車両の天井Ｃに埋め込まれて取り付けられている。ハウジング本体１３は、本実施例では、ルームランプＲＬのハウジング本体と一体的に構成されている（図２参照。）。ハウジング本体１３は、図示は略すがスライド方向Ｓへスライド移動可能にツマミ部材１２を保持している。このため、ハウジング本体１３が固定部材として機能している。以下の説明では、ハウジング本体１３が天井Ｃに取り付けられた状態における方向を用いて説明する。
【００２５】
ツマミ部材１２は、操作入力部分１５と、移動規制段部分１６と、移動規制壁１７とを有する。操作入力部分１５は、スライド方向Ｓで見た略中央位置で、移動規制段部分１６により盛り上げられた個所からさらに突起された突条であり、使用者が容易に摘むことが可能とされている。移動規制壁１７は、スライド方向Ｓで見て操作入力部分１５を中心として対称となる位置で対を為すように操作入力部分１５の突起方向とは反対側に延出されている。ツマミ部材１２は、操作入力部分１５が車室に臨む（下方に位置する。）ようにハウジング本体１３に保持されている。
【００２６】
ハウジング本体１３には、その開放端を覆うように蓋部材１４が取り付けられている。蓋部材１４には、開口部１４ａが設けられ、この開口部１４ａからツマミ部材１２の操作入力部分１５が露出されている。このため、操作入力部分１５を押し出すまたは引張るように操作することにより、ハウジング１１の外方からツマミ部材１２をスライド移動させることが可能である。
【００２７】
また、ハウジング本体１３の上端壁１８には、２つの移動規制係合壁１９と、受入部２０と、２つの接続プレート２１とが設けられている。
【００２８】
両移動規制係合壁１９は、スライド方向Ｓで見て略中央から等しい位置で対を為すように設けられ、上端壁１８から下方へと延出されている。両移動規制係合壁１９は、その間にツマミ部材１２を位置させることが可能とされており、一方の移動規制係合壁１９がツマミ部材１２の一方の移動規制壁１７と係合することによりツマミ部材１２の押出し方向Ｓｐへのスライド移動を制限し（図４参照。）、他方の移動規制係合壁１９がツマミ部材１２の他方の移動規制壁１７と係合することによりツマミ部材１２の引張り方向Ｓｄへのスライド移動を制限する（図５参照。）また、蓋部材１４の開口部１４ａは、両移動規制壁１７および両移動規制係合壁１９が係合状態であるとき、ツマミ部材１２の移動規制段部分１６と係合する構成とされており、両移動規制壁１７および両移動規制係合壁１９によるツマミ部材１２のスライド移動の制限を補助している（図４および図５参照。）。
【００２９】
両移動規制係合壁１９の間の上端壁１８において、スライド方向Ｓで見て中央位置よりも押出し方向Ｓｐ側に受入部２０が設けられている。受入部２０は、スライド方向Ｓに並列する位置で下方へ向けて突起された２つの凸部分２２と、その間に位置される凹部分２３とを有する。受入部２０は、後述するバネ板部材２４のバネ板自由端部２５との嵌合が可能とされている。
【００３０】
ハウジング本体１３の上端壁１８には、スライド方向Ｓで見て受入部２０とは反対側、すなわちスライド方向Ｓで見て中央位置よりも引張り方向Ｓｄ側に２つの接続プレート２１が設けられている。各接続プレート２１は、導電性を有する部材から形成されており、後述する接続板部材２６の接続自由端部２７の突起端２７ａと当接することにより電気的な接続が可能とされている。接続プレート２１は、上端壁１８に嵌合されており、周囲の上端壁１８の上端壁下面１８ａと面一な面を構成している。接続プレート２１は、本実施例では、スライド方向Ｓで見て間隔を置いて並設されており、その中間に上端壁下面１８ａが位置されている。この両接続プレート２１との電気的な接続のために、ツマミ部材１２に接続板部材２６が設けられている。
【００３１】
接続板部材２６は、導電性を有する材料から形成された板部材であり、ツマミ部材１２に片持ち支持されすなわち一端側がツマミ部材１２に固定されている。その自由端とされている他端に接続自由端部２７が形成されている。この接続自由端部２７は、ハウジング本体１３側へ向けて突起するように湾曲されており、当該湾曲部分が突起端２７ａを中心に対称形状とされている。接続板部材２６は、ツマミ部材１２がハウジング本体１３に保持された状態において、接続自由端部２７の突起端２７ａが、ハウジング本体１３の上端壁１８における２つの接続プレート２１を含む両接続プレート２１の間で上端壁下面１８ａと当接するように設けられている。換言すると、２つの接続プレート２１は、ツマミ部材１２のスライド移動に伴って接続板部材２６の接続自由端部２７の突起端２７ａが上端壁下面１８ａ上で（上端壁下面１８ａに下方から接して。）移動し得る領域の両端位置に設けられている。
【００３２】
接続板部材２６は、２つの接続プレート２１と協働して、ツマミ部材１２が左端位置に存在する場合（図２および図４参照。）ルームランプＲＬをＯＦＦモードとし、ツマミ部材１２が右端位置に存在する場合（図２および図５参照。）ルームランプＲＬをＯＮモードとし、ツマミ部材１２が中央位置に存在する場合（図２および図３参照。）ルームランプＲＬをＤＯＯＲモードとするように、ルームランプＲＬの電気回路（図示せず。）を構成している。このため、ハウジング本体１３の上端壁１８の上端壁下面１８ａにおける２つの接続プレート２１を含む両接続プレート２１の間が、ツマミ部材１２のスライド移動に伴って接続板部材２６の接続自由端部２７の突起端２７ａがハウジング本体１３の上端壁１８の上端壁下面１８ａ上を移動し得る接続領域となる。ツマミ部材１２の自由なスライド移動を３つの停止位置で制限すべく拘束するために、ツマミ部材１２にバネ板部材２４が設けられている。
【００３３】
バネ板部材２４は、長尺の板部材であり、ツマミ部材１２に片持ち支持されすなわち一端側がツマミ部材１２に固定されている。その自由端とされている他端にバネ板自由端部２５が形成されている。このバネ板部材２４は、バネ板自由端部２５が接続板部材２６とは異なる位置（上述した接続領域とは異なる領域。）でハウジング本体１３の上端壁１８の上端壁下面１８ａに押し当てられるように、換言すると受入部２０およびスライド方向Ｓでの受入部２０の両隣接位置に押し当てられるように、スライド方向Ｓに沿って延在されている。バネ板自由端部２５は、ハウジング本体１３側へ向けて突起するように湾曲されており、当該湾曲部分が突起端２５ａを中心とする線対称な形状とされている。
【００３４】
本実施例では、バネ板部材２４は、ツマミ部材１２から見て接続板部材２６と反対側へと延在するように、すなわち接続板部材２６と同じ直線上に位置するように設けられている。また、本実施例では、バネ板部材２４は、接続板部材２６と同一部材から同一形状に形成されている。
【００３５】
バネ板部材２４は、ツマミ部材１２がハウジング本体１３に保持された状態において、バネ板自由端部２５の突起端２５ａが、ハウジング本体１３の上端壁１８の上端壁下面１８ａにおける受入部２０およびスライド方向Ｓでの受入部２０の両隣接位置と当接するように設けられている。換言すると、受入部２０は、ツマミ部材１２のスライド移動に伴ってバネ板部材２４のバネ板自由端部２５の突起端２５ａが上端壁下面１８ａ上で移動し得る領域の中央位置に設けられている。バネ板部材２４は、図３に示すように、バネ板自由端部２５が受入部２０に嵌合されることにより、ツマミ部材１２が中央位置からスライド方向Ｓに自由にスライド移動しないように拘束するとともに、バネ板自由端部２５が受入部２０の外方で上端壁１８の上端壁下面１８ａに当接することにより、ツマミ部材１２が両端位置から中央位置へと自由にスライド移動しないように拘束している。
【００３６】
本発明に係るスライドスイッチ１０では、バネ板部材２４のバネ板自由端部２５および受入部２０が従来のスライドスイッチとは異なる構成とされている。これについて以下に説明する。
【００３７】
図６に示すように、バネ板部材２４のバネ板自由端部２５は、前述したように、受入部２０の凹凸形状に沿うような湾曲形状、すなわち断面視で大略半円形状とされている。このバネ板自由端部２５が嵌合される受入部２０は、前述したように、２つの凸部分２２とその間の凹部分２３とを有しているが、凹部分２３から見て、押出し方向Ｓｐ側に位置する凸部分２２を第１凸部分２２１とし、引張り方向Ｓｄ側に位置する凸部分２２を第２凸部分２２２とする。
【００３８】
第１凸部分２２１および第２凸部分２２２は、上端壁下面１８ａから下方へ突起されて形成されており、それぞれが押出し側面２２１ａ、２２２ａと引張り側面２２１ｂ、２２２ｂとを有する略逆三角形状とされている。凹部分２３は、第１凸部分２２１および第２凸部分２２２の間に位置する上端壁下面１８ａ´を有する。受入部２０は、バネ板部材２４のバネ板自由端部２５を受け入れた際、バネ板自由端部２５が凹部分２３の上端壁下面１８ａ´と、第１凸部分２２１の引張り側面２２１ｂと、第２凸部分２２２の押出し側面２２２ａとに当接する大きさ寸法とされている。このため、受入部２０は、バネ板部材２４のバネ板自由端部２５が嵌合されると、当該バネ板自由端部２５を３方から支持することとなる。このことから、第１凸部分２２１の引張り側面２２１ｂが第１傾斜面として機能し、第２凸部分２２２の押出し側面２２２ａが第２傾斜面として機能する。
【００３９】
また、受入部２０では、上端壁下面１８ａを基準とすると、第１凸部分２２１の引張り側面２２１ｂの傾斜角度αが、第２凸部分２２２の押出し側面２２２ａの傾斜角度βよりも小さく設定されている。本実施例では、第１凸部分２２１の引張り側面２２１ｂの傾斜角度αが４５°に設定されており、第２凸部分２２２の押出し側面２２２ａの傾斜角度βが６０°に設定されている。ここで、バネ板自由端部２５が断面視で大略半円形状とされていることから、スライド方向Ｓで見た第１凸部分２２１および第２凸部分２２２の間隔すなわち凹部分２３の長さ寸法を適宜設定すれば、第１凸部分２２１の引張り側面２２１ｂの傾斜角度αおよび第２凸部分２２２の押出し側面２２２ａの傾斜角度βに拘わらず、嵌合時の受入部２０によるバネ板自由端部２５の３方からの支持を実現することができる。
【００４０】
さらに、本発明に係る受入部２０では、突起された基部側となる上端壁下面１８ａから突起方向で見て、第１凸部分２２１の高さ寸法Ｈ１が第２凸部分２２２の高さ寸法Ｈ２よりも小さく設定されている。
【００４１】
上記した構成により、本発明に係るスライドスイッチ１０では、ＤＯＯＲモードとなるツマミ部材１２が中央位置にある状態（図２および図３のツマミ部材１２参照。）から、ＯＦＦモードとなるツマミ部材１２が左端位置にある状態（図２および図４のツマミ部材１２´参照。）へとツマミ部材１２を押し出し操作する場合と、ＯＮモードとなるツマミ部材１２が右端位置にある状態（図２および図５のツマミ部材１２´´参照。）へとツマミ部材１２を引張り操作する場合とに要する操作力を略等しくすることができる。これは、次のことが考えられる。
【００４２】
中央位置にあるツマミ部材１２に使用者が操作入力部分１５を介して押出し方向Ｓｐへの力を付与すると、バネ板部材２４のバネ板自由端部２５が第１凸部分２２１の引張り側面２２１ｂを押圧することによりバネ板部材２４に撓み変形が生じ、バネ板自由端部２５が第１凸部分２２１を乗り越えるので、中央位置にあるツマミ部材１２が押出し方向Ｓｐへとスライド移動することとなる。同様に、引張り方向Ｓｄへの力が中央位置にあるツマミ部材１２に付与されると、バネ板部材２４のバネ板自由端部２５が第２凸部分２２２の押出し側面２２２ａを押圧することによりバネ板部材２４に撓み変形が生じ、バネ板自由端部２５が第２凸部分２２２を乗り越えるので、中央位置にあるツマミ部材１２が引張り方向Ｓｄへとスライド移動することとなる。
【００４３】
このように、どちらの場合であっても、バネ板部材２４のバネ板自由端部２５が受入部２０の凸部分２２を押圧することでバネ板部材２４を撓み変形させて凸部分２２を乗り越えることには変わりはないが、バネ板部材２４では、押出し方向Ｓｐの力が付与された場合、バネ板自由端部２５を含んだ全長に渡る撓み変形を利用することに対し、引張り方向Ｓｄの力が付与された場合、バネ板自由端部２５には殆ど撓み変形が生じずバネ板自由端部２５を除く個所での撓み変形を利用することとなる。このため、バネ板部材２４では、引張り方向Ｓｄの力が付与された場合に比較して、押出し方向Ｓｐの力が付与された場合の方が多くの力を吸収する。スライドスイッチ１０では、第１凸部分２２１の引張り側面２２１ｂの傾斜角度αが、第２凸部分２２２の押出し側面２２２ａの傾斜角度βよりも小さく設定していることから、引張り方向Ｐｄに比べて押出し方向Ｓｐの場合の方がツマミ部材１２に為された操作力で効率良くバネ板部材２４を撓み変形させることができるので、引張り方向Ｐｄでも押出し方向Ｓｐでも等しい操作力でツマミ部材１２をスライド移動させることができる。
【００４４】
また、第１凸部分２２１の高さ寸法Ｈ１が第２凸部分２２２の高さ寸法Ｈ２よりも小さく設定されていることから、引張り方向Ｐｄに比べて押出し方向Ｓｐの場合のほうがバネ板部材２４に求められる撓み変形量が少なくて済むので、引張り方向Ｐｄでも押出し方向Ｓｐでも等しい操作力でツマミ部材１２をスライド移動させることができる。
【００４５】
また、スライドスイッチ１０では、ツマミ部材１２が中間位置（ＤＯＯＲモード。）に存在している際、バネ板部材２４のバネ板自由端部２５を３方から支持するように受入部２０に嵌合させることにより中間位置でのツマミ部材１２の自由なスライド移動を拘束する構成であることから、中間位置でのツマミ部材１２の拘束力を高めることができる。これにより、中間位置（ＤＯＯＲモード。）にツマミ部材１２が存在している際の安定性を高めることができる。
【００４６】
さらに、スライドスイッチ１０では、断面視で大略円形状とされたバネ板部材２４のバネ板自由端部２５３方から支持することにより嵌合状態において受入部２０がバネ板自由端部２５を適切に拘束する構成であることから、バネ板部材２４のバネ板自由端部２５の形状を変更しなくても、第１凸部分２２１と第２凸部分２２２とにおける傾斜角度αと傾斜角度βとの差異および高さ寸法Ｈ１と高さ寸法Ｈ２との差異に拘わらず嵌合時においてバネ板自由端部２５を受入部２０の上端壁下面１８ａ´と第１凸部分２２１の引張り側面２２１ｂと第２凸部分２２２の押出し側面２２２ａとに当接させることができる。このように、バネ板部材２４の設計変更を伴うことなく仕様変更することが可能となることから、製造コストの増加を招くことを防止することができる。
【００４７】
スライドスイッチ１０では、バネ板部材２４と接続板部材２６とが同一部材から同一形状に形成されているので、製造コストを低減させることができる。このことは、特に次の場面で有効である。スライドスイッチ１０では、引張り方向Ｐｄと押出し方向Ｓｐとに要する力の大きさの差異をなくすとともに中間位置でのツマミ部材１２の拘束力を高める際にバネ板自由端部２５の設計変更を伴うことがないことから、例えば、仕様変更により中間位置でのツマミ部材１２の拘束力を高めつつ引張り方向Ｐｄと押出し方向Ｓｐとに要する力の大きさの差異をなくすための設計変更が必要となった場合であっても、バネ板部材２４の設計変更は必要ない。このため、異なる仕様の製品であっても、バネ板部材２４と接続板部材２６とを共用させることができ、製造コストの増加を防止することができる。
【００４８】
したがって、本発明に係るスライドスイッチ１０では、製造コストの増加を招くことなく、スライド方向の違いにより要する力の差異をなくし、かつツマミ部材１２を中間位置（本実施例ではＤＯＯＲモード。）で適切に拘束することができる。
【００４９】
なお、上記した実施例では、第１凸部分２２１と第２凸部分２２２とにおいて、傾斜角度αと傾斜角度βとに差異が設けられ、かつ高さ寸法Ｈ１と高さ寸法Ｈ２とに差異が設けられていたが、傾斜角度αと傾斜角度βとに差異を設けるだけの構成であってもよく、上記した実施例に限定されるものではない。
【００５０】
また、上記した実施例では、第１凸部分２２１と第２凸部分２２２とにおいて、傾斜角度αと傾斜角度βとに差異が設けられ、かつ高さ寸法Ｈ１と高さ寸法Ｈ２とに差異が設けられていたが、高さ寸法Ｈ１と高さ寸法Ｈ２とに差異を設けるだけの構成であってもよく、上記した実施例に限定されるものではない。
【００５１】
さらに、上記した実施例では、バネ板部材２４と接続板部材２６とが同一部材から同一形状に形成されていたが、接続板部材２６は接続プレート２１と協働して電気的な回路を構成するものであればよく、バネ板部材２４は受入部２０と協働してツマミ部材１２の自由なスライド移動を拘束するものであればよいことから、互いに異なる部材からなる異なる形状であってもよく、上記した実施例に限定されるものではない。
【００５２】
上記した実施例では、第１凸部分２２１の押出し側面２２１ａの傾斜角度と、第２凸部分２２２の引張り側面２２２ｂの傾斜角度とには言及していなかったが、第１凸部分２２１の押出し側面２２１ａを傾斜角度βとし、第２凸部分２２２の引張り側面２２２ｂを傾斜角度αとすることにより、両端位置にあるツマミ部材１２を中央位置へとスライド移動させる際に要する力を均一化することができる。
【００５３】
上記した実施例では、接続板部材２６と接続プレート２１とが設けられていたが、ツマミ部材１２が各停止位置に停止されることにより異なる電気的な接続を可能とするものであればよく、上記した実施例に限定されるものではない。
【００５４】
上記した実施例では、受入部２０の凹部分２３を構成する面としての上端壁下面１８ａ´が平坦に構成されていたが、バネ板部材２４のバネ板自由端部２５の形状に適合する曲面として全体でバネ板自由端部２５と当接する構成であってもよく、上記した実施例に限定されるものではない。このように全体でバネ板自由端部２５と当接する構成とすると、中間位置でのツマミ部材１２の拘束力をより高めることができる。
【００５５】
上記した実施例では、スライドスイッチ１０はルームランプＲＬに適用されていたが、３つ以上の停止位置で電気的な切り換えが可能なスライドスイッチであればよく、上記した実施例に限定されるものではない。
【図面の簡単な説明】
【００５６】
【図１】本発明に係るスライドスイッチを有するルームランプが適用された車室を示す模式的な斜視図である。
【図２】図１のルームランプを拡大して示す正面図である。
【図３】図２に示すＩ−Ｉ線に沿って得られた断面図であり、本実施例に係るスライドスイッチを示している。
【図４】図３と同様の断面図であり、ＯＦＦモードとされた状態を示している。
【図５】図３と同様の断面図であり、ＯＮモードとされた状態を示している。
【図６】バネ板部材のバネ板自由端部および受入部の近傍を拡大して示す断面図である。
【符号の説明】
【００５７】
１０  スライドスイッチ
１２  ツマミ部材
１３  （固定部材としての）ハウジング本体
２０  受入部
２１  （接続部としての）接続プレート
２３  凹部分
２４  バネ板部材
２５  バネ板自由端部
２６  接続板部材
２７  接続自由端部
２２１  第１凸部分
２２２  第２凸部分
２２１ｂ  （第１傾斜面としての）引張り側面
２２２ａ  （第２傾斜面としての）押出し側面
【図１】
2008140655.tif 000003
【図２】
2008140655.tif 000004
【図３】
2008140655.tif 000005
【図４】
2008140655.tif 000006
【図５】
2008140655.tif 000007
【図６】
2008140655.tif 000008